(57)【要約】【課題】  本発明が解決しようとする課題は、線状逆Ｆ型アンテナの省スペース化、広帯域化および高感度化を実現し、折りたたみ式携帯電話端末機などの移動通信機器の小型化を促進することである。【課題を解決するための手段】  本発明の線状逆Ｆ型アンテナ１は、印刷配線基板４と印刷配線基板５の間で電気信号を接続するフレキシブルフラットケーブル（ＦＦＣ）６を有する折りたたみ式携帯型無線機器において、ＦＦＣ６の近傍の印刷配線基板４上に配置され、アンテナ素子をＦＦＣ６と直交するように折り曲げる。【選択図】  図１
2006197528.tif 000002
【特許請求の範囲】
【請求項１】
可動部を介し分離して配置された印刷配線基板間の電気信号を接続する電線またはフレキシブルフラットケーブル等を有する折りたたみ式携帯型無線機器において、前記電線またはフレキシブルフラットケーブル等の近傍の印刷配線基板上に配置され、アンテナ素子を前記電線またはフレキシブルフラットケーブル等と直交するように折り曲げたことを特徴とする折り返し線状逆Ｆ型アンテナ。
【請求項２】
前記印刷配線基板が接地導体板と電気的に等価であり、アンテナ素子を前記印刷配線基板に垂直方向に折り返したことを特徴とする請求項１の折り返し線状逆Ｆ型アンテナ。
【請求項３】
折り返し線状逆Ｆ型アンテナの素子の長さは、前記印刷配線基板に近い素子を短く、遠い素子を長くしたことを特徴とする請求項２の折り返し線状逆Ｆ型アンテナ。
【請求項４】
折り返し線状逆Ｆ型アンテナの素子の幅は、前記印刷配線基板に近い素子を狭く、遠い素子を広くしたことを特徴とする請求項２の折り返し線状逆Ｆ型アンテナ。
【請求項５】
折り返し線状逆Ｆ型アンテナの素子の長さは、前記電線またはフレキシブルフラットケーブル等の近傍を避けるように折り曲げたことを特徴とする請求項１の折り返し線状逆Ｆ型アンテナ。
【発明の詳細な説明】
【技術分野】
【０００１】  本発明は、折りたたみ式携帯無線機器等に内蔵して使用される逆Ｆ型アンテナに関するものである。
【背景技術】
【０００２】  近年、携帯電話、自動車電話等の移動体通信装置の普及により機器の小型化に対する要求が高まっており、これに伴って通信装置に用いられるアンテナも小型、高利得で筐体内部に配置できる内蔵型アンテナが要求されている。このような用途に適したアンテナとして逆Ｆ型アンテナがある。【０００３】  逆Ｆ型アンテナは、素子の形状から線状逆Ｆ型アンテナと板状逆Ｆ型アンテナに大別でき、動作原理については両者とも同じである。板状逆Ｆ型アンテナは、周囲長が約１／２波長の小型アンテナで、通常のダイポールアンテナとは異なり、ＸＹ、ＹＺ、ＺＸいずれの面でも比較的広範囲に送受信できるアンテナであり、水平、垂直の両偏波成分とも受信可能である。【０００４】  このような板状逆Ｆ型アンテナで携帯無線機器本体に内蔵可能な小型・薄型アンテナの先行例としては、特開平４−１２９３０２号が提案されているが、移動体通信装置の主アンテナとして使用するにはアンテナの周波数帯域幅が不十分であるため、ダイバーシチ受信用にのみ用いられている例が殆どであった。【０００５】  また特開平６−３１４９８４号では、人体の接近によるアンテナ特性の劣化を防ぐためにアンテナ部分と電話器内部の回路部分を金属板で分離し、機器内のスペースを有効に利用し製品の小型化を図ることができるアンテナが提案されている。しかし近年の移動体通信装置では、インターネット接続機能やカメラ搭載等による液晶表示装置のカラー化、大画面化の傾向が強く、携帯電話端末機本体の形状は、従来のストレートバータイプから大型表示装置が搭載しやすい折りたたみタイプへと変わっているためにアンテナの実装高及び基板の面積が狭くなっており、上記先行技術のような板状逆Ｆ型アンテナによる小型化は、限界を超えている状況となっている。特に周波数の低い８００〜９００ＭＨｚ帯においては、板状逆Ｆ型アンテナの採用は極めて困難になっている。【０００６】  これを解決するために、線状逆Ｆ型アンテナの素子を接地導体板に平行に沿って折り曲げ小型化を図ったアンテナが考案されているが、基板専有面積が十分に小型化できず、周波数帯域幅を広くするには、十分な高さが必要になり、さらにアンテナ実装面の横に接地電位の部品を実装するとアンテナ特性に悪影響を与えるため、アンテナの近傍には部品を配置することができず、製品の小型化を阻害するという欠点がある。【０００７】  更にこのようなアンテナは、折りたたみタイプの携帯電話端末機において本体を折りたたんだ時のアンテナ利得および周波数帯域幅の劣化が著しく、本体を開いている通話状態のアンテナ性能との差が大きいため実用的ではない。【０００８】  また折りたたみタイプの携帯電話端末機では、主に表示部と操作部の二つに別れた回路ブロックをフレキシブルフラットケーブル（ＦＦＣ）で接続している為、これに流れる電気信号から受信に妨害を与える周波数成分を含んだノイズが発生しており、フレキシブルフラットケーブル近傍にアンテナの素子を配置することは、受信性能を大幅に劣化させる原因になっている。
【発明の開示】
【発明が解決しようとする課題】
【０００９】  本発明が解決しようとする課題は、線状逆Ｆ型アンテナの省スペース化、広帯域化および高感度化を実現し、折りたたみ式携帯電話端末機などの移動通信機器の小型化を促進することである。
【課題を解決するための手段】
【００１０】  上記課題を解決するために本発明の折り返し線状逆Ｆ型アンテナは、可動部を介し分離して配置された印刷配線基板間の電気信号を接続する電線またはフレキシブルフラットケーブル等を有する折りたたみ式携帯型無線機器において、前記電線またはフレキシブルフラットケーブル等の近傍の印刷配線基板上に配置され、アンテナ素子を前記電線またはフレキシブルフラットケーブル等と直交するように折り曲げる。【００１１】  前記印刷配線基板が接地導体板と電気的に等価であり、前記折り返し線状逆Ｆ型アンテナの素子を前記印刷配線基板に垂直方向に折り返す。【００１２】  前記折り返し線状逆Ｆ型アンテナの素子の長さは、前記印刷配線基板に近い素子を短く、遠い素子を長くする。【００１３】  前記折り返し線状逆Ｆ型アンテナの素子の幅は、前記印刷配線基板に近い素子を狭く、遠い素子を広くする。【００１４】  前記折り返し線状逆Ｆ型アンテナの素子の長さは、前記電線またはフレキシブルフラットケーブル等の近傍を避けるように折り曲げる。
【発明の効果】
【００１５】  本発明の折り返し線状逆Ｆ型アンテナによればフレキシブルフラットケーブルや印刷配線基板とアンテナ素子間の静電的、電磁的結合を少なくできるためアンテナの周波数帯域幅を広くすることが容易である。更に印刷配線基板上に実装されている電子部品が発生するノイズの影響を少なくでき受信感度の向上が図れ、またアンテナの配置に制約が少ないので携帯無線機器の小型化が容易になる。【００１６】  本発明の折り返し線状逆Ｆ型アンテナを折りたたみ式携帯電話端末機に使用した場合、本体を開いたときと閉じたときのアンテナ特性の変化を少なくできる。
【発明を実施するための最良の形態】
【実施例】
【００１７】  以下に本発明の内容を具体的な実施例を示して説明する。図１は、本発明による線状逆Ｆ型アンテナの例である。図において１はアンテナ本体、２はアンテナの給電点、３は短絡点、４は第一の印刷配線基板、５は第二の印刷配線基板、６はフレキシブルフラットケーブル（ＦＦＣ）である。図１の構成は、折りたたみ式携帯電話端末機を想定したものであり、送受信回路や制御回路などが実装された４第一の印刷配線基板とＬＣＤ表示装置などが実装された５第二の印刷配線基板があり、これらの間を６フレキシブルフラットケーブルで電気的に接続しているものである。【００１８】  基本的な逆Ｆ型アンテナは、図２に示すようにモノポールアンテナを折り曲げたＬ型アンテナにインピーダンス整合のための短絡点を設けたものである。アンテナ素子の全長は、使用する周波数に適合させる必要があるが、アンテナを筐体内に配置するため小型化の従来技術として図３のように折り曲げたものが考案されている。【００１９】  次に図１の本発明による線状逆Ｆ型アンテナと図３の従来技術による線状逆Ｆ型アンテナの特性の差を説明する。図４は、従来技術による線状逆Ｆ型アンテナ１とフレキシブルフラットケーブル６の相対的な位置関係を示したもので、アンテナ素子の一部がフレキシブルフラットケーブル６と平行になっているため静電的、電磁的な結合が大きくなる。フレキシブルフラットケーブル６に流れる信号電流には受信周波帯域の周波数成分を含むものがあり、これがアンテナ１に混入すると受信感度を劣化させる原因となる。【００２０】  これに対し図５に示す本発明による線状逆Ｆ型アンテナ１では、フレキシブルフラットケーブ６とアンテナ素子が直交するようになっているため静電的、電磁的な結合が小さくなりフレキシブルフラットケーブル６を流れる信号電流の影響を受けにくくなる。また図６、図７で示すように、本発明による線状逆Ｆ型アンテナは、従来技術によるものと比べて接地導体板となる印刷配線基板４および５との静電的結合（浮遊容量７）も少なくなるのでアンテナの周波数帯域幅を広くすることができ、印刷配線基板４上に実装されたＩＣ等が発生するノイズの影響も少なくできる。【００２１】  本発明による線状逆Ｆ型アンテナの他の実施例について説明する。図８は、印刷配線基板４に近いアンテナ素子の長さを短く、遠い素子を長くしたものであり、上記で説明した接地導体板との静電的結合を更に少なくしてより広帯域化と対ノイズ特性を向上させたものである。またフレキシブルフラットケーブル６に近いアンテナ素子を短くすることでより効果的にアンテナ特性の向上が図れる。【００２２】  図９は、印刷配線基板４に近いアンテナ素子の幅を狭く、遠い素子の幅を広くしたものであり、接地導体板との静電的結合を小さくしながらアンテナ素子の幅を広げられるためより広帯域なアンテナが実現できる。【００２３】  以上のように本発明による線状逆Ｆ型アンテナは、印刷配線基板やそれに実装されている電子部品との静電的、電磁的結合が疎であるため従来のものと比べて広帯域化が容易であり、またノイズの影響を受けにくい特性を持つため実装上の制約が少なく携帯無線機器の小型化が容易になる。【００２４】更にアンテナ１とフ���キシブルフラットケーブル６の静電的、電磁的結合が疎であることで表示機等を実装した印刷配線基板５がアンテナの放射パターンに与える影響を少なくしている。図１０は、この様子を示したグラフであり、横軸は折りたたみ式携帯電話端末機を開いた状態にして側面から見たときの位置である。グラフ上に破線で示した従来の線状逆Ｆ型アンテナと比べ実線で示した本発明による線状逆Ｆ型アンテナの放射パターンは、印刷配線基板５側の放射が少ない。両方の印刷配線基板から電波が放射していると、折りたたみ式携帯電話端末機を開いているときを折りたたんだときのアンテナ特性の変化により放射パターンが大きく異なるため実用上問題となる。本発明の線状逆Ｆアンテナは、印刷配線基板４側の放射特性が支配的になるため形状変化に対するアンテナ特性の変化が少なく、折りたたみ式携帯電話端末機の実使用状態における無線通信性能の向上を容易にする。
【産業上の利用可能性】
【図面の簡単な説明】
【００２５】
【図１】本発明による線状逆Ｆ型アンテナの例
【図２】基本的な逆Ｆ型アンテナ
【図３】従来技術による線状逆Ｆ型アンテナの例
【図４】従来技術による線状逆Ｆ型アンテナの特性説明
【図５】本発明による線状逆Ｆ型アンテナの特性説明
【図６】従来技術による線状逆型Ｆアンテナの特性説明
【図７】本発明による線状逆Ｆ型アンテナの特性説明
【図８】本発明による線状逆Ｆ型アンテナの他の実施例
【図９】本発明による線状逆Ｆ型アンテナの他の実施例
【図１０】アンテナ放射パターングラフ
【符号の説明】
【００２６】  １  逆Ｆ型アンテナ本体
２  給電点
３  短絡部
４  第一の印刷配線基板
５  第二の印刷配線基板
６  フレキシブルフラットケーブル
７  浮遊容量（結合容量）
【図１】
2006197528.tif 000003
【図２】
2006197528.tif 000004
【図３】
2006197528.tif 000005
【図４】
2006197528.tif 000006
【図５】
2006197528.tif 000007
【図６】
2006197528.tif 000008
【図７】
2006197528.tif 000009
【図８】
2006197528.tif 000010
【図９】
2006197528.tif 000011
【図１０】
2006197528.tif 000012